(57)【要約】【課題】  骨格材のパイプがビニールハウスの形状に合わせて様々な径を描いて曲がったカーブであってもしっかりと固定できるとともに、緩んだとしても外れてしまうことを極力抑え、その後の再度の固定を容易にして、シートがめくれる等が発生することを極力防止したビニールハウスの骨格材に係合する骨格材止め部材を提供する。【解決手段】  シートを止めるシート止め部材５１に連結する骨格材止め部材としてのアタッチメント１は、シート止め部材５１に連結する断面がコの字状の第１部材３と、第１部材３と連結する断面がコの字状の第２部材５と、ボルト７とを備え、第２部材５は、第１部材３と連結し、第１部材３と共に連結した内側により共にパイプ５２の外周を囲み、ボルト７は、第２部材５に螺合し、その螺合による固定度の調節が可能であって、その先端部７ａをパイプ５２に当接させ、パイプ５２を第１部材３に圧接してシート止め部材５１及びアタッチメント１をパイプ５２に固定する。【選択図】  図１
2018174800.tif 000002
【特許請求の範囲】
【請求項１】
ビニールハウスのシートを止めるシート止め部材に連結し、前記ビニールハウスの骨格材に係合する骨格材止め部材であって、
前記シート止め部材に連結し、その断面が略コの字型の第１部材と、
その断面が略コの字型の部材であって、前記第１部材と連結して、前記第１部材と共に連結した内側により前記骨格材の外周を囲むことが可能な第２部材と、
前記第２部材に螺合し、螺合による固定度の調節が可能であって、その先端を前記骨格材に当接して前記骨格材を前記第１部材に圧接させて、前記シート止め部材及び前記骨格材止め部材を前記骨格材に固定する固定手段とを備えた、骨格材止め部材。
【請求項２】
前記第１部材又は前記第２部材の両側面部にはそれぞれ切欠きが形成されており、
前記第２部材又は前記第１部材の両側面部には前記各切欠きに引っ掛けるフック部が形成されており、
前記固定手段は、前記螺合により前記各切欠きと前記各フック部の係合度も調節可能であって、前記係合度を大きくして前記第１部材と前記第２部材とを連結する、請求項１記載の骨格材止め部材。
【請求項３】
前記各フック部の先端の向きが同じ方向に伸びていることを特徴とする、請求項２記載の骨格材止め部材。
【発明の詳細な説明】
【技術分野】
【０００１】
本発明は、骨格材止め部材に関し、特に、ビニールハウスのシートを止めるシート止め部材に連結し、ビニールハウスの骨格材（パイプ）に係合する骨格材止め部材に関する。
【背景技術】
【０００２】
今までのビニールハウスのシートを止めるシート止め部材に連結し、ビニールハウスの骨格材（パイプ）に係合する骨格材止め部材としては、特許文献１に記載のものがある。
【０００３】
上記では、シート止め部材としては、上段溝と下段溝とを備えたＥ字断面の条材と、この条材の上段溝に一方のシートの端部を押込み、下段溝に他のシートの端部を押込む横向きＵ字断面のストッパとから構成されている。そして、骨格材止め部材としては、条材をビニールハウスの骨格材（パイプ）に係止めするアタッチメントが挙げられ、そのアタッチメントは、具体的には、くさびによって係止めするものが示されている。
【０００４】
以下、図を用いて、さらに説明する。
【０００５】
図９は従来の「くさび」を用いた骨格材止め部材としてのアタッチメントと骨格材としてのパイプとアタッチメントに連結してシートを止めるシート止め部材との三者の関係を示した図である。図１０は図９のＸの方向から見た図である。
【０００６】
図９を参照して、シートを止めるシート止め部材５１にはアタッチメント５３が連結している。アタッチメント５３は、パイプ５２に止められるパイプ止め部材であり、シート止め部材５１に繋がる断面が略コの字状の第１部材５５と、第１部材５５の両側面部に下方位置に形成された両方の穴に挿入されるくさび５７とを備えている。
【先行技術文献】
【特許文献】
【０００７】
【特許文献１】特開２００４−３３７１８０号公報
【発明の概要】
【発明が解決しようとする課題】
【０００８】
しかしながら、アタッチメントに「くさび」を用いたものは、風雨で緩み易い面があるばかりか、緩みが大きくなりすぎると外れてしまう恐れがあることに加え、骨格材（パイプ）がビニールハウスの形状に合わせて様々に曲がっており、特にその曲がったカーブ部分は一直線に延びる「くさび」ではしっかり固定できない場合があった。その結果、シート止め部材も緩み、シートがめくれる等の問題が起こっていた。
【０００９】
ゆえに、本発明は、骨格材（パイプ）がビニールハウスの形状に合わせて様々な径を描いて曲がったカーブであってもしっかりと固定できるとともに、緩んだとしても外れてしまうことを極力抑え、その後の再度の固定を容易にして、シートがめくれる等が発生することを極力防止したビニールハウスの骨格材に係合する骨格材止め部材を提供することを目的とする。
【課題を解決するための手段】
【００１０】
本発明の第１の観点は、ビニールハウスのシートを止めるシート止め部材に連結し、前記ビニールハウスの骨格材に係合する骨格材止め部材であって、前記シート止め部材に連結し、その断面が略コの字型の第１部材と、その断面が略コの字型の部材であって、前記第１部材と連結して、前記第１部材と共に連結した内側により前記骨格材の外周を囲むことが可能な第２部材と、前記第２部材に螺合し、螺合による固定度の調節が可能であって、その先端を前記骨格材に当接して前記骨格材を前記第１部材に圧接させて、前記シート止め部材及び前記骨格材止め部材を前記骨格材に固定する固定手段とを備えたものである。
【００１１】
このように、螺合を用いた固定手段により、風雨等にも緩みにくく、ビニールハウスの形状に合わせて様々な径を描いて曲がったカーブであっても螺合の度合いをそれぞれに合わせて固定度を調整できる。
【００１２】
本発明の第２の観点は、第１の観点において、前記第１部材又は前記第２部材の両側面部にはそれぞれ切欠きが形成されており、前記第２部材又は前記第１部材の両側面部には前記各切欠きに引っ掛けるフック部が形成されており、前記固定手段は、前記螺合により前記各切欠きと前記各フック部の係合度も調節可能であって、前記係合度を大きくして前記第１部材と前記第２部材とを連結するものである。
【００１３】
このように、螺合による調節により各切欠きと各フック部との係合度が大きくなり、骨格材の固定をしっかりしたものにできるとともに、それと同時に第１部材と第２部材との連結もしっかりしたものとできる。
【００１４】
本発明の第３の観点は、第２の観点において、前記各フック部の先端の向きが同じ方向に伸びていることを特徴とするものである。
【００１５】
このように、向きを揃えたことで、切欠きとフック部との係合関係を組み立ての現場で容易に行えるともに、第１部材の両側面部の幅の間隔と第２部材の両側面部の幅の間隔を同じものとすることができる。
【発明の効果】
【００１６】
本発明の第１の観点によれば、螺合を用いた固定手段により、風雨等にも緩みにくく、ビニールハウスの形状に合わせて様々な径を描いて曲がったカーブであっても螺合の度合いをそれぞれに合わせて固定度を調整でき、パイプ（骨角材）への止めが確実に行われ、それによりビニールハウスのシートを止めるシート止め部材もしっかり固定され、シートがめくれる等の発生を極力防止したものとできる。加えて、螺合による再度の固定を容易にして、シートがめくれる等の発生を事前に予防するものとできる。
【００１７】
本発明の第２の観点によれば、螺合による調節により各切欠きと各フック部との係合度を大きくでき、骨格材への固定をしっかりしたものにできるとともに、それと同時に第１部材と第２部材との連結もしっかりしたものとできるので、第１部材と第２部材との一体化が図られ、骨格材との関係での緩みがより生じ難いものとできる。
【００１８】
本発明の第３の観点によれば、向きを揃えたことで、切欠きとフック部との係合関係を組み立ての現場で容易に行えるともに、第１部材の両側面部の幅の間隔と第２部材の両側面部の幅の間隔を同じものとすることができる。そして、第１部材と第２部材との一体化が図られるとともに側面部の強度を大きくでき、骨格材との関係での固定をより大きくしていくことができる。また、組み立てた後の経年変化等を経て、仮に取り換える必要がある場合には、螺合を緩めれば、第１部材と第２部材とを簡単に分離して、新たなものを簡単に取り付けることもできる。
【図面の簡単な説明】
【００１９】
【図１】本発明の実施の形態にかかる骨格材止め部材としてのアタッチメントを説明するための図であって図９に対応する図である。
【図２】本発明の実施の形態にかかる骨格材止め部材としてのアタッチメントを説明するための図であって図１のＩＩ方向から見た図１０に対応する図である。
【図３】図１及び図２の第２部材を示した斜視図である。
【図４】図３の第２部材を６方向から見た図である。
【図５】図３のＶ−Ｖライン断面図である。
【図６】図３の第２部材を取り付けて図１及び図２の状態にすることを説明するための図である。
【図７】図６に示したアタッチメントを４方向から見た図である。
【図８】図１に示したアタッチメントがビニールハウスに取り付ける状況を説明するための図である。
【図９】従来の「くさび」を用いた骨格材止め部材としてのアタッチメントと骨格材としてのパイプとアタッチメントに連結してシートを止めるシート止め部材との三者の関係を示した図である。
【図１０】図９のＸの方向から見た図である。
【発明を実施するための形態】
【００２０】
以下に本発明の実施の形態について図面を参照して詳細に説明するが、本発明はこれに限定されるものではない。
【００２１】
図１は本発明の実施の形態にかかる骨格材止め部材としてのアタッチメントを説明するための図であって図９に対応する図である。図２は本発明の実施の形態にかかる骨格材止め部材としてのアタッチメントを説明するための図であって図１のＩＩ方向から見た図１０に対応する図である。図３は図１及び図２の第２部材を示した斜視図である。図４は図３の第２部材を６方向から見た図である。図４（Ａ）は図３のＩＶＡの方向から見た図であり、図４（Ｂ）は図３のＩＶＢの方向から見た図であり、図４（Ｃ）は図３のＩＶＣの方向から見た図であり、図４（Ｄ）は図３のＩＶＤの方向から見た図であり、図４（Ｅ）は図３のＩＶＥの方向から見た図である。なお、図３のＩＶＣの方向とは反対から見た図は図４（Ｃ）と対称であり、省略する。図５は図３のＶ−Ｖライン断面図である。図６は図３の第２部材を取り付けて図１及び図２の状態にすることを説明するための図である。図７は図６に示したアタッチメントを４方向から見た図である。図７（Ａ）は図６のＶＩＩＡの方向から見た図であり、図７（Ｂ）は図６のＶＩＩＢの方向から見た図であり、図７（Ｃ）は図６のＶＩＩＣの方向から見た図であり、図７（Ｄ）は図６のＶＩＩＤの方向から見た図である。
【００２２】
図１及び図２を参照して、図９及び図１０に示すように、シートを止めるシート止め部材５１があり、このシート止め部材５１には骨格材止め部材としてのアタッチメント１が連結する。アタッチメント１は、シート止め部材５１に連結する断面が略コの字状の第１部材３と、第１部材３と連結する断面が略コの字状の第２部材５と、固定手段としてのボルト７とを備える。
【００２３】
第２部材５は、第１部材３と連結して、第１部材３と共に連結した内側により共に骨格材であるパイプ５２の外周を囲むことが可能なものである。固定手段としてのボルト７は、第２部材５に螺合し、その螺合による固定度の調節が可能であって、その先端部７ａをパイプ５２に当接させ、パイプ５２を第１部材３に圧接してシート止め部材５１及びアタッチメント１をパイプ５２に固定することが可能なものとなっている。
【００２４】
図３〜図５を参照して、第２部材５は、互いに対向して向き合う平板状の側面部５ａと側面部５ｂを有している。側面部５ａにはその上部の中央位置にフック部５ｃが形成され、側面部５ｂにはその上部の中央位置にフック部５ｄが形成されている。フック部５ｃの先端がのびている方向は内側であり、フック部５ｄの先端がのびている方向は外側であり、両フック部の先端がのびている方向は同じ向きになっている。なお、このフック部５ｃとフック部５ｄが係合するように、第１部材３の側面部にはそれぞれ切欠きが形成されている（図１、図２、図６及び図７参照）。側面部５ａと側面部５ｂは平板状の四角形の底部５ｅの向かい合う２辺から上方にのびており、底部５ｅの中央位置にはボルトが螺合する螺合部５ｆが形成されている。
【００２５】
このようにして、螺合を用いた固定により、風雨等にも緩みにくく、ビニールハウスの形状に合わせて様々な径を描いて曲がったカーブであっても螺合の度合いをそれぞれに合わせて固定度を調整でき、パイプ（骨角材）への止めが確実に行われ、それによりビニールハウスのシートを止めるシート止め部材もしっかり固定され、シートがめくれる等の発生を極力防止したものとできる。加えて、螺合による再度の固定を容易にして、シートがめくれる等の発生を事前に予防するものとできている。
【００２６】
図６及び図７を参照して、第２部材５を第１部材３に取り付けることを説明する。まず、第２部材５のフック部５ｃを第１部材３の切欠き３ａに引っ掛け、第２部材５のフック部５を第１部材３の切欠き３ｂに引っ掛ける。そして、ボルトを締めていくことによる螺合により、ボルト７の先端部７ａが図１及び図２に示すようにパイプ５２に当たり、パイプ５２が第１部材３に当接する。さらに締めていくことによってパイプ５２が第１部材３に圧接すると同時に、第２部材５のフック部５ｃと第１部材３の切欠き３ａとの係合及び第２部材５のフック部５と第１部材３の切欠き３ｂとの係合がよりしっかりしたものとなっていく。これにより、第１部材３と第２部材５との強固な連結が行われるとともに、一体化した第１部材３及び第２部材５とによるアタッチメント１がパイプ５２にしっかりと固定され、アタッチメント１連結するシート止め部材５１もパイプ５２にしっかりと固定される。
【００２７】
加えて、図６に示すように、向きを揃えたことで、切欠きとフック部との係合関係を組み立ての現場で容易に行えるともに、第１部材３の両側面部の幅の間隔と第２部材の両側面部の幅の間隔を同じものとすることができる（図６のＬ）。そして、第１部材３と第２部材５との一体化が図られるとともに側面部の強度を大きくでき、骨格材との関係での固定をより大きくしていくことができている。また、組み立てた後の経年変化等を経て、仮に取り換える必要がある場合には、螺合を緩めれば、第１部材３と第２部材５とを簡単に分離して、新たなものを簡単に取り付けることもできるものとなっている。
【００２８】
図８は図１に示したアタッチメントがビニールハウスに取り付ける状況を説明するための図である。図８（Ａ）はビニールハウスの骨格材（パイプ）でできた骨格全体を示した斜視図であり、図８（Ｂ）は図８（Ａ）のＡ部分の拡大図であり、図８（Ｃ）は図８（Ａ）のＶＩＩＩの方向から見た図であり、図（Ｄ）は図８（Ｃ）のＢ部分を拡大した図である。
【００２９】
図８に示すようなパイプ５２がカーブで曲がった位置にアタッチメント１を取り付けることができる。なお、図８で、図中の符号１１は谷樋である。
【００３０】
なお、上記では、第１部材３に切欠きを設け、第２部材５にフック部を設けたが、逆であってもよい。さらに、第１部材３に切欠きとフック部を設け、第２部材にフック部と切欠きを設けるような組み合わせであってもよい。
【００３１】
また、上記では、第１部材３の両側面部の幅の間隔と第２部材５の両側面部の幅の間隔とを同じものとしたが、切欠きとフック部とを用いるかを問わず、連結できるならば、第１部材３の両側面部の内側に第２部材５の両側面部の外側が位置する関係でもよく、その逆の関係であってもよい。
【符号の説明】
【００３２】
１・・・アタッチメント、３・・・第１部材、５・・・第２部材、７・・・ボルト
【図１】
2018174800.tif 000003
【図２】
2018174800.tif 000004
【図３】
2018174800.tif 000005
【図４】
2018174800.tif 000006
【図５】
2018174800.tif 000007
【図６】
2018174800.tif 000008
【図７】
2018174800.tif 000009
【図８】
2018174800.tif 000010
【図９】
2018174800.tif 000011
【図１０】
2018174800.tif 000012